(57)【要約】【課題】光変換モジュールとレンズとがガタツキなく高精度に位置決めされた光伝送に優れた光コネクタを提供すること。【解決手段】光モジュール収容部を備えたハウジングと、発光側レンズ部及び受光側レンズ部を有し、光モジュール収容部に組付けられるレンズ体４０と、レンズ体４０に組み合わされることで発光側レンズ部及び受光側レンズ部の対向位置に配置される発光素子及び受光素子を備え、レンズ体４０とともに光モジュール収容部に組付けられるＦＯＴ６０と、を有し、レンズ体４０及びＦＯＴ６０は、レンズ体４０に形成された位置決め突起７１と、ＦＯＴ６０に形成されて位置決め突起７１が嵌合する位置決め孔８１と、からなる位置決め機構を備え、位置決め孔８１の内周面に、三つ以上のリブ８２が周方向へ等間隔に形成されている。【選択図】図９
2019184744.tif 000002
【特許請求の範囲】
【請求項１】
収容部を備えたハウジングと、
レンズ部を有し前記収容部に組付けられるレンズ体と、
前記レンズ体に組み合わされることで前記レンズ部の対向位置に配置される光素子を備え、前記レンズ体とともに前記収容部に組付けられる光変換モジュールと、
を有し、
前記レンズ体及び前記光変換モジュールは、一方に形成された位置決め突起と、他方に形成されて前記位置決め突起が嵌合する位置決め孔と、からなる位置決め機構を備え、
前記位置決め孔の内周面または前記位置決め突起の外周面に、三つ以上のリブが周方向へ等間隔に形成されている
ことを特徴とする光コネクタ。
【請求項２】
前記レンズ体は、前記レンズ部として発光側レンズ部及び受光側レンズ部を備え、
前記光変換モジュールは、前記光素子として発光素子及び受光素子を備え、
前記位置決め機構は、前記発光側レンズ部及び前記発光素子と、前記受光側レンズ部及び前記受光素子との間に設けられている
ことを特徴とする請求項１に記載の光コネクタ。
【請求項３】
前記位置決め機構が複数設けられている
ことを特徴とする請求項１または請求項２に記載の光コネクタ。
【発明の詳細な説明】
【技術分野】
【０００１】
本発明は、光コネクタに関する。
【背景技術】
【０００２】
光通信分野で用いられる光コネクタとして、ハウジングと、シールドケースと、送受一体型のレンズと、発光側ＦＯＴ（Fiber Optic Transceiver）と、受光側ＦＯＴと、を含んで構成されたものが知られている（例えば、特許文献１参照）。
【先行技術文献】
【特許文献】
【０００３】
【特許文献１】特開２０１４−２２２２５６号公報
【発明の概要】
【発明が解決しようとする課題】
【０００４】
ところで、光コネクタでは、発光側ＦＯＴ及び受光側ＦＯＴ等の光変換モジュールに対するレンズの距離は、ハウジング内のフェルールとレンズとの間に比べて短いため、特に、光変換モジュールとレンズとの間に生じるガタツキや位置ずれが光伝送に大きな影響を与えてしまう。したがって、光変換モジュールとレンズとをガタツキなく高精度に位置決めすることが要求されている。
【０００５】
本発明は、上述した事情に鑑みてなされたものであり、その目的は、光変換モジュールとレンズとがガタツキなく高精度に位置決めされた光伝送に優れた光コネクタを提供することにある。
【課題を解決するための手段】
【０００６】
前述した目的を達成するために、本発明に係る光コネクタは、下記（１）〜（３）を特徴としている。
（１）  収容部を備えたハウジングと、
レンズ部を有し前記収容部に組付けられるレンズ体と、
前記レンズ体に組み合わされることで前記レンズ部の対向位置に配置される光素子を備え、前記レンズ体とともに前記収容部に組付けられる光変換モジュールと、
を有し、
前記レンズ体及び前記光変換モジュールは、一方に形成された位置決め突起と、他方に形成されて前記位置決め突起が嵌合する位置決め孔と、からなる位置決め機構を備え、
前記位置決め孔の内周面または前記位置決め突起の外周面に、三つ以上のリブが周方向へ等間隔に形成されている
ことを特徴とする光コネクタ。
（２）  前記レンズ体は、前記レンズ部として発光側レンズ部及び受光側レンズ部を備え、
前記光変換モジュールは、前記光素子として発光素子及び受光素子を備え、
前記位置決め機構は、前記発光側レンズ部及び前記発光素子と、前記受光側レンズ部及び前記受光素子との間に設けられている
ことを特徴とする（１）に記載の光コネクタ。
（３）  前記位置決め機構が複数設けられている
ことを特徴とする（１）または（２）に記載の光コネクタ。
【０００７】
上記（１）の構成の光コネクタによれば、レンズ体と光変換モジュールとを組み合わせて位置決め突起を位置決め孔に嵌合させると、位置決め孔の内周面または位置決め突起の外周面に周方向へ等間隔に形成された三つ以上のリブが位置決め突起の外周面または位置決め孔の内周面に当接する。これにより、特に高い位置決め精度が要求されるレンズ体と光変換モジュールとをガタツキなく高精度に位置決めすることができ、レンズ部と光素子との間における光損失が抑えられ、光伝送に優れた高性能な光コネクタを提供できる。
上記（２）の構成の光コネクタによれば、発光側レンズ部及び発光素子と、受光側レンズ部及び受光素子との間に設けられた位置決め機構によって、発光側レンズ部と発光素子及び受光側レンズ部と受光素子をそれぞれ高精度にかつバランス良く位置決めすることができる。
上記（３）の構成の光コネクタによれば、複数の位置決め機構によってレンズ体と光変換モジュールとの位置決め精度をより高めることができる。また、レンズ体と光変換モジュールとの相対的な回転ずれを抑制することができる。
【発明の効果】
【０００８】
本発明によれば、光変換モジュールとレンズとがガタツキなく高精度に位置決めされた光伝送に優れた光コネクタを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、本実施形態に係る光コネクタ及び相手側光コネクタの斜視図である。
【図２】図２は、相手側光コネクタの斜視図である。
【図３】図３は、本実施形態に係る光コネクタの分解斜視図である。
【図４】図４は、光コネクタを説明する図であって、図４（ａ）は光コネクタの後方側からの斜視図、図４（ｂ）はハウジング及びシールドケースの後方側からの斜視図である。
【図５】図５は、ハウジングの光モジュール収容部を説明する図であって、図５（ａ）はレンズ体が装着されたハウジング及び光変換モジュールの後方側からの斜視図、図５（ｂ）はハウジング、レンズ体及び光変換モジュールの後方側からの斜視図である。
【図６】図６は、アッセンブリ状態のレンズ体及び光変換モジュールの後方側からの斜視図である。
【図７】図７は、レンズ体及び光変換モジュールを説明する図であって、図７（ａ）は後方側からの斜視図、図７（ｂ）は前方側からの斜視図である。
【図８】図８は、レンズ体と光変換モジュールとを位置決めする位置決め機構を説明する図であって、図８（ａ）はレンズ体の光変換モジュールへの装着側の平面図、図８（ｂ）は光変換モジュールのレンズ体への装着側の平面図である。
【図９】図９は、レンズ体と光変換モジュールとを位置決めする位置決め機構を説明する図であって、図９（ａ）はレンズ体の光変換モジュールへの装着側の拡大平面図、図９（ｂ）は光変換モジュールのレンズ体への装着側の拡大平面図である。
【図１０】図１０は、レンズ体と光変換モジュールとを位置決めする位置決め機構を説明する図であって、図１０（ａ）は組み合わせ前のレンズ体及び光変換モジュールの断面図、図１０（ｂ）は組み合わせ後のレンズ体及び光変換モジュールの断面図である。
【図１１】図１１は、図１０（ｂ）におけるＡ−Ａ断面図である。
【発明を実施するための形態】
【００１１】
以下、本発明に係る実施の形態の例を、図面を参照して説明する。
図１は、本実施形態に係る光コネクタ及び相手側光コネクタの斜視図である。
図１に示すように、本実施形態に係る光コネクタ１０は、プラグコネクタである相手側光コネクタ１が接合されるレセプタクルタイプの光コネクタである。光コネクタ１０は、回路基板１１に実装されており、この光コネクタ１０に設けられた嵌合凹部１２に相手側光コネクタ１が嵌合される。
【００１２】
図２は、相手側光コネクタの斜視図である。
図２に示すように、相手側光コネクタ１は、光ファイバ２の端部に接続されるハウジング３を有している。ハウジング３は、その先端が嵌合部４とされており、この嵌合部４が光コネクタ１０の嵌合凹部１２に嵌合される。これにより、光コネクタ１０と相手側光コネクタ１の光ファイバ２とが光通信可能とされる。
【００１３】
図３は、本実施形態に係る光コネクタの分解斜視図である。
図３に示すように、光コネクタ１０は、ハウジング２０と、シールドケース３０と、レンズ体４０と、光変換モジュールであるＦＯＴ（Fiber Optic Transceiver）６０と、を備えている。
【００１４】
ハウジング２０は、合成樹脂から成形された箱状の部材であり、このハウジング２０には、前端側に相手側光コネクタ１の嵌合部４が嵌合する嵌合凹部１２が形成されている。このハウジング２０には、その内部に、フェルール（図示略）が設けられており、嵌合凹部１２に嵌合された相手側光コネクタ１の光ファイバ２の端部がフェルールに嵌合される。ハウジング２０は、後端側に光モジュール収容部（収容部）２１を有しており、この光モジュール収容部２１に、レンズ体４０及びＦＯＴ６０が組み付けられる。また、ハウジング２０には、シールドケース３０が上部から嵌め込まれて装着される。ハウジング２０の下部には、複数の突起部（図示略）が形成されている。そして、これらの突起部が回路基板１１に形成された孔部（図示略）に嵌合されることで光コネクタ１０が回路基板１１に実装される際に位置決めされる。
【００１５】
図４は、光コネクタを説明する図であって、図４（ａ）は光コネクタの後方側からの斜視図、図４（ｂ）はハウジング及びシールドケースの後方側からの斜視図である。
図４（ａ）及び図４（ｂ）に示すように、シールドケース３０は、天板部３１と、天板部３１の両側に形成された側板部３２と、天板部３１の後側に形成された後板部３３とを有した箱状に形成されている。シールドケース３０は、導電性金属板をプレス加工等によって箱状に形成して構成されている。シールドケース３０は、ハウジング２０に装着されることで、ハウジング２０の上部、両側部及び後部を覆ってシールドする。側板部３２には、複数の脚部３２ａが形成されており、これらの脚部３２ａは、回路基板１１のスルーホール（図示略）に挿し込まれてハンダ付けされる。これにより、光コネクタ１０は、回路基板１１に固定される。また、後板部３３には、内側へ突出する板バネ部３３ａを有している。これらの板バネ部３３ａは、ハウジング２０の光モジュール収容部２１に収容されたＦＯＴ６０の後面を押圧する。これにより、ハウジング２０の光モジュール収容部２１に収容されたレンズ体４０及びＦＯＴ６０が板バネ部３３ａの付勢力によってハウジング２０に保持された状態に維持される。
【００１６】
図５は、ハウジングの光モジュール収容部を説明する図であって、図５（ａ）はレンズ体が装着されたハウジング及び光変換モジュールの後方側からの斜視図、図５（ｂ）はハウジング、レンズ体及び光変換モジュールの後方側からの斜視図である。
図５（ａ）及び図５（ｂ）に示すように、レンズ体４０及びＦＯＴ６０は、ハウジング２０の後端側の光モジュール収容部２１に組み付けられる。光モジュール収容部２１は、レンズ体４０及びＦＯＴ６０が嵌め込まれる凹状に形成されている。光モジュール収容部２１は、上壁部２３と、底壁部２４と、一対の側壁部２５とを有している。また、光モジュール収容部２１は、凹状部分の底部が当接面２６とされており、この当接面２６には、二つのレンズ挿通穴２７が形成されている。
【００１７】
図６は、アッセンブリ状態のレンズ体及び光変換モジュールの後方側からの斜視図である。
図６に示すように、レンズ体４０及びＦＯＴ６０は、互いに組み合わされて位置決めされる。そして、レンズ体４０及びＦＯＴ６０は、互いに組み合わされた状態でハウジング２０の光モジュール収容部２１に組付けられる。これにより、ハウジング２０に対してＦＯＴ６０が位置決めされる。
【００１８】
図７は、レンズ体及び光変換モジュールを説明する図であって、図７（ａ）は後方側からの斜視図、図７（ｂ）は前方側からの斜視図である。
図７（ａ）及び図７（ｂ）に示すように、レンズ体４０は、平面視矩形状に形成された基板部４３を有しており、この基板部４３には、発光側レンズ部４１及び受光側レンズ部４２が形成されている。これらの発光側レンズ部４１及び受光側レンズ部４２は、横並びに設けられている。レンズ体４０は、導光性を有する透明樹脂によって一体成形されたもので、発光側レンズ部４１と受光側レンズ部４２とが基板部４３の前面から前方へ突出するように一体に設けられている。発光側レンズ部４１のＦＯＴ６０側は、入射面４１ａとされており、受光側レンズ部４２のＦＯＴ６０側は、出射面４２ａとされている。レンズ体４０には、基板部４３の両側に、係合突起４５及び係止爪４６が形成されている。係合突起４５は、係止爪４６の両側に設けられている。
【００１９】
ＦＯＴ６０は、平面視矩形状に形成されており、その前面には、発光側ＦＯＴ６１及び受光側ＦＯＴ６２が横並びに設けられている。発光側ＦＯＴ６１は、例えば、ＬＥＤ（Light Emitting Diode）、ＶＣＳＥＬ（Vertical Cavity Surface Emitting LASER）などの発光素子６１ａを有し、受光側ＦＯＴ６２は、例えば、ＰＤ（Photo Diode)などの受光素子６２ａを有する。ＦＯＴ６０は、合成樹脂によって一体成形されたもので、発光側ＦＯＴ６１と受光側ＦＯＴ６２とが一体に設けられている。ＦＯＴ６０の下部には、複数のリードフレーム６５が設けられている。これらのリードフレーム６５は、端部がＦＯＴ６０の後方側へ屈曲された接続部６５ａとされており、この接続部６５ａが回路基板１１のパッド上に配置されてはんだ付けされ、回路基板１１の所定の回路に対して電気的に接続される。ＦＯＴ６０の両側には、凹部６６が形成されており、この凹部６６には、係止片６７が突設されている。
【００２０】
ＦＯＴ６０は、レンズ体４０における入射面４１ａ及び出射面４２ａを有する後面側に組付けられる。このとき、レンズ体４０は、係合突起４５がＦＯＴ６０の凹部６６に係合し、係止爪４６がＦＯＴ６０の係止片６７を係止する。これにより、レンズ体４０にＦＯＴ６０が組付けられ、ＦＯＴ６０における発光側ＦＯＴ６１の発光素子６１ａと受光側ＦＯＴ６２の受光素子６２ａとが、レンズ体４０の発光側レンズ部４１の入射面４１ａ及び受光側レンズ部４２の出射面４２ａに対向した位置にそれぞれ配置される。
【００２１】
そして、このレンズ体４０とＦＯＴ６０のアッセンブリは、ハウジング２０の光モジュール収容部２１に嵌め込まれて所定位置に位置決めされた状態で収容される。これにより、レンズ体４０の発光側レンズ部４１及び受光側レンズ部４２がハウジング２０のレンズ挿通穴２７に挿し込まれるとともに、レンズ体４０の前面が当接面２６に当接される。これにより、レンズ体４０の発光側レンズ部４１及び受光側レンズ部４２がハウジング２０内のフェルールに位置決めされた状態でレンズ挿通穴２７内に収容される。
【００２２】
さらに、シールドケース３０をハウジング２０に装着すると、シールドケース３０の後板部３３に形成された板バネ部３３ａによって、ＦＯＴ６０が押圧される。これにより、レンズ体４０及びＦＯＴ６０がハウジング２０の光モジュール収容部２１に保持された状態に維持される。
【００２３】
この光コネクタ１０では、ＦＯＴ６０の発光側ＦＯＴ６１で電気信号から変換されて発生した光信号は、レンズ体４０の発光側レンズ部４１へ入射面４１ａから入射し、嵌合凹部１２に接合された相手側光コネクタ１の一方の光ファイバ２へ導かれる。また、相手側光コネクタ１の他方の光ファイバ２から受光側レンズ部４２へ入射した光信号は、レンズ体４０の受光側レンズ部４２の出射面４２ａから出射してＦＯＴ６０の受光側ＦＯＴ６２で受光されて電気信号に変換される。
【００２４】
ところで、光コネクタ１０では、ＦＯＴ６０の発光側ＦＯＴ６１及び受光側ＦＯＴ６２に対するレンズ体４０の発光側レンズ部４１及び受光側レンズ部４２の距離が、ハウジング２０内のフェルールとレンズ体４０の発光側レンズ部４１及び受光側レンズ部４２との間に比べて短い。このため、特に、レンズ体４０とＦＯＴ６０との間に生じるガタツキや位置ずれが光伝送に大きな影響を与えてしまう。
【００２５】
このため、本実施形態に係る光コネクタ１０は、レンズ体４０とＦＯＴ６０とをガタツキなく高精度に位置決めする位置決め機構を備えている。
【００２６】
次に、光コネクタ１０に設けられた位置決め機構について説明する。
図８は、レンズ体と光電変換モジュールとを位置決めする位置決め機構を説明する図であって、図８（ａ）はレンズ体の光電変換モジュールへの装着側の平面図、図８（ｂ）は光電変換モジュールのレンズ体への装着側の平面図である。図９は、レンズ体と光電変換モジュールとを位置決めする位置決め機構を説明する図であって、図９（ａ）はレンズ体の光電変換モジュールへの装着側の拡大平面図、図９（ｂ）は光電変換モジュールのレンズ体への装着側の拡大平面図である。図１０は、レンズ体と光電変換モジュールとを位置決めする位置決め機構を説明する図であって、図１０（ａ）は組み合わせ前のレンズ体及び光電変換モジュールの断面図、図１０（ｂ）は組み合わせ後のレンズ体及び光電変換モジュールの断面図である。図１１は、図１０（ｂ）におけるＡ−Ａ断面図である。
【００２７】
図８から図１０に示すように、光コネクタ１０は、レンズ体４０に形成された位置決め突起７１と、ＦＯＴ６０に形成された位置決め孔８１と、からなる位置決め機構を有している。この位置決め機構は、発光側レンズ部４１及び発光素子６１ａと受光側レンズ部４２及び受光素子６２ａとの間に設けられている。
【００２８】
図８（ａ）、図９（ａ）及び図１０（ａ）に示すように、レンズ体４０は、幅方向の中央部に、二つの位置決め突起７１を有している。これらの位置決め突起７１は、レンズ体４０におけるＦＯＴ６０の組付け側である後面側に形成されている。これらの位置決め突起７１は、レンズ体４０の高さ方向に間隔をあけて配置されている。位置決め突起７１は、その先端近傍から先端に向かって次第に窄まるテーパ部７２を有している。
【００２９】
図８（ｂ）、図９（ｂ）及び図１０（ａ）に示すように、ＦＯＴ６０は、幅方向の中央部に、二つの位置決め孔８１を有している。これらの位置決め孔８１は、ＦＯＴ６０におけるレンズ体４０の組付け側である前面側に形成されている。これらの位置決め孔８１は、ＦＯＴ６０の高さ方向に間隔をあけて形成されている。位置決め孔８１は、その内周面に、三つのリブ８２を有している。これらのリブ８２は、位置決め孔８１の軸方向に沿って形成されており、位置決め孔８１の周方向に等間隔に配置されている。
【００３０】
位置決め突起７１の外径は、位置決め孔８１の内径よりも僅かに小さくされており、三つのリブ８２の先端を通る円の径よりも僅かに大きくされている。なお、位置決め孔８１を有するＦＯＴ６０は、位置決め突起７１を有するレンズ体４０よりも軟質とされている。
【００３１】
上記の位置決め突起７１と位置決め孔８１とからなる位置決め機構を備えたレンズ体４０とＦＯＴ６０とを互いに組付けると、図１０（ｂ）に示すように、レンズ体４０の位置決め突起７１がＦＯＴ６０の位置決め孔８１に嵌合される。このとき、位置決め突起７１は、先端部に形成されたテーパ部７２によって位置決め孔８１へガイドされて円滑に導かれる。
【００３２】
そして、レンズ体４０の位置決め突起７１がＦＯＴ６０の位置決め孔８１に挿し込まれると、図１１に示すように、位置決め孔８１の内周面に形成されたリブ８２が位置決め突起７１の外周面に当接して押し広げられ、それぞれ均等に圧縮変形される。これにより、位置決め突起７１と位置決め孔８１とは、圧縮変形されたリブ８２によって、互いに調心されるとともにガタツキなく嵌合された状態となる。したがって、レンズ体４０とＦＯＴ６０とがガタツキなく高精度に位置決めされた状態に組み合わされる。これにより、レンズ体４０の発光側レンズ部４１及び受光側レンズ部４２に対してＦＯＴ６０の発光側ＦＯＴ６１及び受光側ＦＯＴ６２が高精度に位置決めされて良好な光伝送が可能となる。
【００３３】
以上、説明したように、本実施形態に係る光コネクタ１０によれば、レンズ体４０とＦＯＴ６０とを組み合わせて位置決め突起７１を位置決め孔８１に嵌合させると、位置決め孔８１の内周面に周方向へ等間隔に形成された三つ以上のリブ８２が位置決め突起７１の外周面に当接する。これにより、特に高い位置決め精度が要求されるレンズ体４０とＦＯＴ６０とをガタツキなく高精度に位置決めすることができ、発光側レンズ部４１と発光素子６１ａとの間及び受光側レンズ部４２と受光素子６２ａとの間における光損失が抑えられ、光伝送に優れた高性能な光コネクタ１０を提供できる。
【００３４】
また、位置決め突起７１と位置決め孔８１とからなる位置決め機構は、発光側レンズ部４１及び発光側ＦＯＴ６１と、受光側レンズ部４２及び受光側ＦＯＴ６２との間に設けられている。これにより、発光側レンズ部４１と発光素子６１ａ及び受光側レンズ部４２と受光素子６２ａをそれぞれ高精度にかつバランス良く位置決めすることができる。
【００３５】
しかも、位置決め突起７１と位置決め孔８１とからなる位置決め機構が複数設けられているので、これらの複数の位置決め機構によってレンズ体４０とＦＯＴ６０との位置決め精度をより高めることができる。また、レンズ体４０とＦＯＴ６０との相対的な回転ずれを抑制することができる。
【００３６】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３７】
例えば、上記実施形態では、レンズ体４０に位置決め突起７１を設け、ＦＯＴ６０に位置決め突起７１が嵌合される位置決め孔８１を設けたが、レンズ体４０に位置決め孔を設け、ＦＯＴ６０に位置決め孔へ嵌合する位置決め突起を設けてもよい。
【００３８】
また、上記実施形態では、位置決め孔８１の内周面にリブ８２を形成したが、位置決め突起７１の外周面にリブを形成してもよい。
【００３９】
なお、位置決め孔８１と位置決め突起７１とからなる位置決め機構は、三つ以上あってもよく、また、リブ８２は四つ以上あってもよい。
【００４０】
ここで、上述した本発明に係る光コネクタの実施形態の特徴をそれぞれ以下［１］〜［３］に簡潔に纏めて列記する。
［１］  収容部（光モジュール収容部２１）を備えたハウジング（２０）と、
レンズ部（発光側レンズ部４１，受光側レンズ部４２）を有し前記収容部（光モジュール収容部２１）に組付けられるレンズ体（４０）と、
前記レンズ体（４０）に組み合わされることで前記レンズ部（発光側レンズ部４１，受光側レンズ部４２）の対向位置に配置される光素子（発光素子６１ａ，受光素子６２ａ）を備え、前記レンズ体（４０）とともに前記収容部（光モジュール収容部２１）に組付けられる光変換モジュール（ＦＯＴ６０）と、
を有し、
前記レンズ体（４０）及び前記光変換モジュール（ＦＯＴ６０）は、一方に形成された位置決め突起（７１）と、他方に形成されて前記位置決め突起（７１）が嵌合する位置決め孔（８１）と、からなる位置決め機構を備え、
前記位置決め孔（８１）の内周面または前記位置決め突起（７１）の外周面に、三つ以上のリブ（８２）が周方向へ等間隔に形成されている
ことを特徴とする光コネクタ。
［２］  前記レンズ体（４０）は、前記レンズ部として発光側レンズ部（４１）及び受光側レンズ部（４２）を備え、
前記光変換モジュール（６０）は、前記光素子として発光素子（６１ａ）及び受光素子（６２ａ）を備え、
前記位置決め機構は、前記発光側レンズ部（４１）及び前記発光素子（６１ａ）と、前記受光側レンズ部（４２）及び前記受光素子（６２ａ）との間に設けられている
ことを特徴とする［１］に記載の光コネクタ。
［３］  前記位置決め機構が複数設けられている
ことを特徴とする［１］または［２］に記載の光コネクタ。
【符号の説明】
【００４１】
１０：光コネクタ
２０：ハウジング
２１：光モジュール収容部（収容部）
４０：レンズ体
４１：発光側レンズ部（レンズ部）
４２：受光側レンズ部（レンズ部）
６０：ＦＯＴ（光変換モジュール）
６１ａ：発光素子（光素子）
６２ａ：受光素子（光素子）
７１：位置決め突起（位置決め機構）
８１：位置決め孔（位置決め機構）
８２：リブ
【図１】
2019184744.tif 000003
【図２】
2019184744.tif 000004
【図３】
2019184744.tif 000005
【図４】
2019184744.tif 000006
【図５】
2019184744.tif 000007
【図６】
2019184744.tif 000008
【図７】
2019184744.tif 000009
【図８】
2019184744.tif 000010
【図９】
2019184744.tif 000011
【図１０】
2019184744.tif 000012
【図１１】
2019184744.tif 000013